(57)【要約】【目的】ポンプ，エンジン等の機器における密封性を要するハウジングで、ハウジング本体とカバー板との何れかに溝が設けられ、低い充填率でありながら溝からの脱落防止と倒れ防止ができ、耐久性，信頼性に優れたパッキンとすること。【構成】長手方向に環状としてなるパッキン本体１と内側倒れ防止部２と外側倒れ防止部３と外れ止め部４とを備えること。パッキン本体１の幅方向の外周側には適宜の間隔をおいて複数の外側倒れ防止部３が形成され、複数の外側倒れ防止部３が所定数連続する範囲内において内周側には１個の内側倒れ防止部２が形成されること。１個の内側倒れ防止部２と複数の外側倒れ防止部３とを組Ａ1とし、組Ａ1がパッキン本体１の長手方向に多数設けられ、外れ止め部４はパッキン本体１の幅方向両側に設けられる。【選択図】      図１
2018194113.tif 000002
【特許請求の範囲】
【請求項１】
長手方向に環状としてなるパッキン本体と内側倒れ防止部と外側倒れ防止部と外れ止め部とを備え、前記パッキン本体の幅方向の外周側には適宜の間隔をおいて複数の前記外側倒れ防止部が形成され、複数の該外側倒れ防止部が所定数連続する範囲内において内周側には１個の前記内側倒れ防止部が形成され、１個の該内側倒れ防止部と複数の前記外側倒れ防止部とが組として構成され、該組が前記パッキン本体の長手方向に多数設けられてなると共に、前記外れ止め部は前記パッキン本体の幅方向両側に設けられてなることを特徴とするパッキン。
【請求項２】
請求項１に記載のパッキンにおいて、幅方向両側の前記外れ止め部は、前記組の間に位置してなることを特徴とするパッキン。
【請求項３】
請求項１又は請求項２に記載のパッキンにおいて、長手方向に沿う他の領域と比較して相対的に大きい正の圧力又は負の圧力を受ける高圧受領域内又は低圧受領域内に位置する前記組における前記外側倒れ防止部のそれぞれの間隔は他の領域の前記組における前記外側倒れ防止部のそれぞれの間隔よりも狭くされる構成としてなることを特徴とするパッキン。
【請求項４】
請求項１又は請求項２に記載のパッキンにおいて、長手方向に沿う他の領域と比較して相対的に大きい正の圧力を受ける高圧受領域内に位置する前記組における前記外側倒れ防止部の個数の割合は他の領域の前記組における前記外側倒れ防止部の個数の割合よりも高くする構成としてなることを特徴とするパッキン。
【請求項５】
請求項１又は請求項２に記載のパッキンにおいて、長手方向に沿う他の領域と比較して相対的に大きい負の圧力を受ける低圧受領域内に位置する前記組における前記外側倒れ防止部の個数の割合は他の領域の前記組における前記外側倒れ防止部の個数の割合よりも低くする構成としてなることを特徴とするパッキン。
【請求項６】
請求項１，２又は３の何れか１項に記載のパッキンにおいて、前記組における前記外側倒れ防止部の個数は２としてなることを特徴とするパッキン。
【請求項７】
請求項１，２又は３の何れか１項に記載のパッキンにおいて、前記組における前記外側倒れ防止部の個数は３としてなることを特徴とするパッキン。
【請求項８】
請求項１，２，３，４，５，６又は７の何れか１項に記載のパッキンにおいて、前記パッキン本体は、長手方向に直交する断面の高さ方向で且つ頂部に向かうに従い次第に狭い幅となる上部と該上部の下端と同等幅以上となる下部とを有し、前記内側倒れ防止部と前記外側倒れ防止部とは前記上部に形成され、前記外れ止め部は前記下部に形成されてなることを特徴とするパッキン。
【発明の詳細な説明】
【技術分野】
【０００１】
本発明は、ポンプ，エンジン等の機器における密封性を要するハウジングで且つハウジング本体とカバー板との何れかに溝が設けられ、低い充填率でありながら溝からの脱落防止と倒れ防止ができ、耐久性及び信頼性に優れたパッキンに関する。
【背景技術】
【０００２】
従来より、ポンプ，エンジン等の機器のハウジングを構成するハウジング本体とカバー板において、密封性を必要とする部分ではＯリング，シール材等の密封材が多く使用されている。この密封材は、前記ハウジング本体やカバー板等の構成部材の接合面の間に装着するために、ハウジング本体又はカバー板の何れか一方に溝が形成されて、該溝に密封材が挿入配置される構造としたものである。
【０００３】
溝に挿入配置された密封材は、ハウジング本体とカバー板とを組み付ける作業時や、或いは別の工場等への輸送中に、溝から簡単に外れたり、脱落しないようにする目的のために、密封材に突起が形成されたものが存在し、溝に嵌め込んだ状態で、密封材が溝から脱落しない構造としたものが存在する。このような技術として代表的なものが、下記特許文献１に開示され、ハウジング本体の組付け作業時において密封材が溝から脱落することによる作業の非効率性という問題点は解決されている。なお、特許文献１では、密封材はガスケットと称されており、以下、特許文献１の説明ではガスケットを使用する。
【先行技術文献】
【特許文献】
【０００４】
【特許文献１】特開２０１６−８０１６７号公報
【発明の概要】
【発明が解決しようとする課題】
【０００５】
ガスケットの機器への装着については、さらに別の問題点が存在する。この問題点とはガスケットの機器の組付け時において、溝にガスケットを装着する時に、溝に挿入配置されたガスケットの前記溝から突出する部分つまり、カバー板に密着する部分が、該カバー板にて押し付けられるときに、ガスケットの長手方向に直交する断面の頂部付近が内方又は外方に倒れてしまうこともある。
【０００６】
そのために、ガスケットは密封性が損なわれるように変形してしまい。所望の密封性能が得られないことも十分に有りうる。特許文献１では、このような問題点を解決するために、ガスケットが倒れるように形状変化するのを防止するために、ガスケット本体の幅方向両側にそれぞれ突設された倒れ防止用突起部と呼ばれる倒れを防止する突起を設けたことが記載されている。
【０００７】
特許文献１において、倒れ防止用突起部は、ガスケット本体の幅方向両側の同一箇所、或いは外周面にのみ又は内周面にのみに設けたり、外周面および内周面のそれぞれに交互に設けられている。このように、ガスケットに倒れ防止用突起部が設けられることで、ガスケットの倒れによる不良な変形を防止することができる。
【０００８】
しかし、ガスケットに倒れ防止用突起部が設けられることにより、ガスケットは倒れ防止用突起部の断面積が増加し、溝に挿入したときの溝に対するガスケットの充填率が増加することになる。つまり、ガスケットの断面が溝の断面に対して占める割合が高くなる。このように充填率が高くなると、ガスケットが溝からはみ出そうとする量が多くなる。このようになると、新たな問題が生じる。
【０００９】
ガスケットが使用されるポンプ等の流体を扱う機器において、内部の流体の圧力は一般的にハウジングの内方から外方に向かって作用することが多い。つまり、ガスケットにはハウジングの内方から外方に向かう方向に圧力を受けるものである。
【００１０】
しかしながら、エンジン，ポンプ，ミッション等の密封性を要する機器では、水分又はオイル等の流体を扱い又は制御するものである。そして、機器の作動中に内部の流体の圧力は増減することがある。特に、ポンプでは、流体の圧力が変化し、その増減における差が大きくなり易い。そのために、流体の一部がハウジング本体とカバー板との間の微小な隙間から漏れ、その圧力がガスケットにかかることになる。
【００１１】
ガスケットにかかる流体の圧力は、多くの時間ではハウジングの内方から外方に向かって作用するものであり、ガスケットの長手方向に直交する断面で且つ圧力のかかる上方箇所は、多くの時間では外方に向かって押圧され、上方部分が倒れるように傾斜する。特許文献１のように充填率が高いと、ガスケットの一部が溝からハウジング本体とカバー板の僅かな隙間に食い込む恐れが生じる。そして、このようなことが連続して起こると、ガスケットが劣化し、良好な密封性が保持できなくなる。そこで、本発明が解決しようとする技術的課題は、以上に述べたガスケットにおける欠点を解決することにある。
【課題を解決するための手段】
【００１２】
そこで、発明者は、前記課題を解決すべく、鋭意，研究を重ねた結果、請求項１の発明を、長手方向に環状としてなるパッキン本体と内側倒れ防止部と外側倒れ防止部と外れ止め部とを備え、前記パッキン本体の幅方向の外周側には適宜の間隔をおいて複数の前記外側倒れ防止部が形成され、複数の該外側倒れ防止部が所定数連続する範囲内において内周側には１個の前記内側倒れ防止部が形成され、１個の該内側倒れ防止部と複数の前記外側倒れ防止部とが組として構成され、該組が前記パッキン本体の長手方向に多数設けられてなると共に、前記外れ止め部は前記パッキン本体の幅方向両側に設けられてなるパッキンとしたことにより、上記課題を解決した。
【００１３】
請求項２の発明を、請求項１に記載のパッキンにおいて、幅方向両側の前記外れ止め部は、前記組の間に位置してなるパッキンとしたことにより、上記課題を解決した。請求項３の発明を、請求項１又は請求項２に記載のパッキンにおいて、長手方向に沿う他の領域と比較して相対的に大きい正の圧力又は負の圧力を受ける高圧受領域内又は低圧受領域内に位置する前記組における前記外側倒れ防止部のそれぞれの間隔は他の領域の前記組における前記外側倒れ防止部のそれぞれの間隔よりも狭くされる構成としてなるパッキンとしたことにより、上記課題を解決した。
【００１４】
請求項４の発明を、請求項１又は請求項２に記載のパッキンにおいて、長手方向に沿う他の領域と比較して相対的に大きい正の圧力を受ける高圧受領域内に位置する前記組における前記外側倒れ防止部の個数の割合は他の領域の前記組における前記外側倒れ防止部の個数の割合よりも高くする構成としてなるパッキンとしたことにより、上記課題を解決した。
【００１５】
請求項５の発明を、請求項１又は請求項２に記載のパッキンにおいて、長手方向に沿う他の領域と比較して相対的に大きい負の圧力を受ける低圧受領域内に位置する前記組における前記外側倒れ防止部の個数の割合は他の領域の前記組における前記外側倒れ防止部の個数の割合よりも低くする構成としてなるパッキンとしたことにより、上記課題を解決した。
【００１６】
請求項６の発明を、請求項１，２又は３の何れか１項に記載のパッキンにおいて、前記組における前記外側倒れ防止部の個数は２としてなるパッキンとしたことにより、上記課題を解決した。請求項７の発明を、請求項１，２又は３の何れか１項に記載のパッキンにおいて、前記組における前記外側倒れ防止部の個数は３としてなるパッキンとしたことにより、上記課題を解決した。
【００１７】
請求項８の発明を、請求項１，２，３，４，５，６又は７の何れか１項に記載のパッキンにおいて、前記パッキン本体は、長手方向に直交する断面の高さ方向で且つ頂部に向かうに従い次第に狭い幅となる上部と該上部の下端と同等幅以上となる下部とを有し、前記内側倒れ防止部と前記外側倒れ防止部とは前記上部に形成され、前記外れ止め部は前記下部に形成されてなるパッキンとしたことにより、上記課題を解決した。
【発明の効果】
【００１８】
請求項１の発明では、エンジン，ポンプ，ミッション等で、且つ水，オイル等が充填される密封性を必要とする機器のハウジングにおいて、本発明のパッキンは、該パッキンを挿入する溝に対し低い充填率で挿入することができ、しかも少数の突起状の外れ止め部にて溝からの脱落を防止できる。さらに、機器作動時において内部の流体の圧力がパッキンにかかっても、内側倒れ防止部と外側倒れ防止部の組により、これら少数の突起にてパッキンの倒れを防止でき、極めて良好な密封性能を得ることができる。
【００１９】
また、内部の流体の圧力は正の圧力となることが多いため、内側倒れ防止部よりも外側倒れ防止部の数を多くしている。したがって、本発明のパッキンは、優れた耐久性を有するものである。さらに、前記パッキン本体は環状としたことにより、機器のハウジングの外部との密封を必要とする部位を包囲するように装着し易いものにできる。
【００２０】
請求項２の発明では、幅方向両側の前記外れ止め部は、前記組の間に位置してなるパッキンとしたことにより、内側倒れ防止部と外側倒れ防止部とから構成される組と、外れ止め部とがパッキン本体の長手方向において同一位置に揃うことがない。そのために、パッキンを溝に挿入する際に、内側倒れ防止部と外側倒れ防止部と外れ止め部とがパッキンの長手方向において同一箇所にならないため、長手方向のどの箇所においても充填率も高くならず、パッキンの溝からのはみ出しを防止できる。
【００２１】
請求項３の発明では、パッキンは長手方向に沿う他の領域と比較して相対的に大きい正の圧力又は負の圧力を受ける高圧受領域内又は低圧受領域内に位置する前記組における前記外側倒れ防止部のそれぞれの間隔は他の領域の前記組における前記外側倒れ防止部のそれぞれの間隔よりも狭くされる構成としたことにより、組における内側倒れ防止部と外側倒れ防止部との個数を必要最小限に抑えることができ、パッキンは無駄の無い構造にすることができる。
【００２２】
請求項４の発明では、パッキンは、長手方向に沿う他の領域と比較して相対的に大きい正の圧力を受ける高圧受領域内に位置する前記組における前記外側倒れ防止部の個数の割合は他の領域の前記組における前記外側倒れ防止部の個数の割合よりも高くする構成としたことにより、パッキンの高圧受領域ではパッキンの他の領域の組における外側倒れ防止部の数よりも多数の外側倒れ防止部を有することとなり、特にハウジングの内方から外方に向かう圧力に対して倒れを防止できる。
【００２３】
請求項５の発明では、パッキンは、長手方向に沿う他の領域と比較して相対的に大きい負の圧力を受ける低圧受領域内に位置する前記組における前記外側倒れ防止部の個数の割合は他の領域の前記組における前記外側倒れ防止部の個数の割合よりも低くする構成としたことにより、パッキンの低圧受領域内では、特にハウジングの外方から内方に向かう圧力に対して倒れを防止できる。
【００２４】
請求項６の発明では、組における外側倒れ防止部の個数を２としたことで、前記組における内側倒れ防止部と外側倒れ防止部との個数の比率をパッキンの長手方向の何れの箇所においても１対２としたものである。したがって、１個の内側倒れ防止部と、２個の外側倒れ防止部との位置関係は三角形を構成することとなる。
【００２５】
これによって、流体を扱う密封性を要する機器のハウジングにおいて、その内部の流体により、ハウジングの内方側から外方側に向かってかかる圧力を、パッキンの長手方向に沿って設けられた各組の２個の外側倒れ防止部が受け止めると共に、２個の外側倒れ防止部の間に位置する内側倒れ防止部が補助することとなり、極めてバランスの取れた反力が作用してパッキンの上部の倒れを防止して、良好な密封性を維持できる。
【００２６】
また、パッキンにおいて、１個の内側倒れ防止部と、２個の外側倒れ防止部とを１つの組としてまとめたことにより、パッキン全体の外側倒れ防止部と内側倒れ防止部との個数を少なくでき、パッキンを溝に挿入配置するときでも、パッキンの溝に対する断面積の割合を少なくすること、つまり充填率を小さくできる。
【００２７】
よって、パッキンがハウジング内の流体から受ける圧力の影響を少なくし、且つ１個の内側倒れ防止部と、２個の外側倒れ防止部による組がパッキン上方部分の倒れを防止することができる。さらに、全体的に内側倒れ防止部と外側倒れ防止部との個数を少なくすることで、パッキンの溝への挿入作業を容易にすることと、倒れ防止機能を両立することができる。
【００２８】
請求項７の発明では、組における外側倒れ防止部の個数を３としたことで、前記組における内側倒れ防止部と外側倒れ防止部との個数の比率をパッキンの長手方向の何れの箇所においても１対３としたものであり、パッキン本体の上部のハウジング内の流体から受ける圧力に対する耐久性をより一層向上させることができる。
【００２９】
請求項８の発明では、パッキン本体は、長手方向に直交する断面の高さ方向で且つ頂部に向かうに従い次第に狭い幅となる上部と該上部の下端と同等幅以上となる下部とを有し、前記内側倒れ防止部と前記外側倒れ防止部は前記上部に形成され、前記外れ止め部は前記下部に形成される構成としたことにより、機器のハウジング又はカバー板の何れか一方に形成された溝に本発明のパッキンの下部から上部に向かって挿入されるように配置することにより、本発明のパッキンは、機器内の溝に対して充填率を低く抑えることができ、極めて安定した状態で設置することができる。
【図面の簡単な説明】
【００３０】
【図１】（Ａ）は本発明におけるパッキンの平面図、（Ｂ）は（Ａ）の（α）部拡大図、（Ｃ）は（Ｂ）のＹ1−Ｙ1矢視拡大断面図、（Ｄ）は（Ｂ）のＹ2−Ｙ2矢視拡大断面図、（Ｅ）は（Ｂ）のＹ3−Ｙ3矢視拡大断面図、（Ｆ）は（Ｂ）のＹ4−Ｙ4矢視拡大断面図である。
【図２】（Ａ）は本発明におけるパッキンと溝との要部箇所拡大斜視図、（Ｂ）はパッキンの内側倒れ防止部箇所の拡大斜視図、（Ｃ）はパッキンの外れ止め部箇所の拡大斜視図である。
【図３】（Ａ）は本発明においてハウジングの溝に挿入されたパッキンの要部拡大平面図、（Ｂ）は（Ａ）のＹ5−Ｙ5矢視拡大断面図、（Ｃ）は（Ａ）のＹ6−Ｙ6矢視拡大断面図、（Ｄ）は（Ａ）のＹ7−Ｙ7矢視拡大断面図である。
【図４】（Ａ）は本発明のパッキンの第２実施形態の要部拡大平面図、（Ｂ）は本発明のパッキンの第２実施形態の要部拡大斜視図、（Ｃ）は本発明のパッキンの第３実施形態の要部拡大平面図、（Ｄ）は本発明のパッキンの第３実施形態の要部拡大斜視図である。
【図５】（Ａ）及び（Ｂ）は本発明のパッキンの組における内側倒れ防止部と両方の外側倒れ防止部との形状を異なるものとした構成の要部拡大平面図、（Ｃ）は本発明のパッキンの組における内側倒れ防止部と両方の外側倒れ防止部との間隔を異なる構成とした要部拡大平面図である。
【図６】本発明のパッキンにおいて組における外側倒れ防止部の個数を３とした実施形態の要部平面図である。
【図７】（Ａ）は本発明のパッキンと内部構造を省略したハウジング本体の平面図、（Ｂ）は本発明のパッキンの内部構造を省略したハウジング本体の溝に装着しようとする縦断側面図、（Ｃ）はハウジング本体にカバー板を装着した状態の縦断側面図、（Ｄ）はハウジング本体の溝に挿入されたパッキンに流体の圧力が掛かる状態を示す拡大断面図である。
【図８】（Ａ）は本発明のパッキンの高圧受領域において組の外側倒れ防止部の間隔を狭めた実施形態の要部平面図、（Ｂ）は本発明のパッキンの高圧受領域及び低圧受領域における組の構成を示す実施形態の要部平面図、（Ｃ）は（Ｂ）の（β）部拡大図である。
【発明を実施するための形態】
【００３１】
以下、本発明の実施形態を図面に基づいて説明する。本発明のパッキンＡは、図１に示すように、無端且つ可撓性を有する環（ループ）形状としたものである。パッキンＡは、ポンプ，エンジン，ミッション等の流体が通過する機器に装着されるものである。
【００３２】
具体的には、前記機器のハウジングＢは、ハウジング本体５とカバー板６にて構成され、ハウジング本体５又はカバー板６の何れか一方にパッキンＡが挿入される溝７が形成されている（図７参照）。以下の説明では、溝７はハウジング本体５側に形成されているものとして説明する。
【００３３】
パッキンＡは、円弧形状，長方形状等の定形的な形状に限定されるものではなく、後述する機器のハウジングＢにおける溝７の全体形状と略等しくなるように形成されるものである〔図7（Ａ）参照〕。パッキンＡは、パッキン本体１と内側倒れ防止部２と、外側倒れ防止部３と、外れ止め部４とを備えたものである。パッキン本体１は、前述したように、パッキンＡ全体の形状を構成するものであり、長手方向に細長としたものである〔図１（Ａ）参照〕。ここで、パッキンＡの長手方向とは、パッキンＡを部分的に見た状態であり〔図１(Ｂ)参照〕、パッキンＡを全体として見ると、その長手方向を周方向と称してもよい。
【００３４】
そして、以下の説明において、環状のパッキンＡにおいて、環状に連なる周方向を長手方向とする〔図１（Ａ）参照〕。また、パッキンＡの長手方向に直交する断面を基にして、その左右方向を幅方向とする。環状としたパッキン本体１では、内周側と外周側とが存在する〔図１（Ａ）参照〕。パッキンＡは、ハウジングＢにおけるハウジング本体５とカバー板６との間に装着され、ハウジングＢの内部の圧力を発生させるインペラやロータ等の主要構造部分を覆うもので、パッキン本体１の内周側は前記主要構造部分に近接した部位である〔図７（Ａ）参照〕。従って、パッキン本体１の内周側は、ポンプ等の流体を扱うハウジングＢでは、流体の圧力を受けることがある。
【００３５】
該パッキン本体１の長手方向に直交する断面形状は、その高さ方向において上部１１と下部１２とから構成されている〔図１（Ｃ）乃至（Ｆ）参照〕。上部１１は、パッキン本体１の長手方向に直交する断面の高さ方向（溝７の浅い側に対応）であり、頂部に向かうに従い次第に狭い幅となる形状である。つまり、上部１１は、断面略三角山形状をなしている。
【００３６】
該上部１１の先端及びその付近つまり頂部付近は、断面略円弧状又は平坦状に形成されている。これは、後述するハウジングＢのカバー板６に押圧されて押し潰された状態で、密着し易い構成にするためである。下部１２は、長手方向に直交する断面が略方形状に形成されている。さらに、下部１２は、具体的には、断面長方形状又は断面正方形状に形成されている。下部１２の断面底部箇所の幅方向両角部は円弧状に形成されている〔図１（Ｃ）乃至（Ｆ）参照〕。
【００３７】
下部１２は、前記上部１１の下端と同等幅以上となる幅方向寸法を有する。パッキン本体１の下部１２は、ハウジングＢのハウジング本体５又はカバー板６の何れか一方に形成される溝７に最初に挿入される部位である。パッキン本体１がハウジングＢの溝７に挿入された状態で、上部１１の一部は、溝７の開口上端面から上方（外方）に突出する。
【００３８】
パッキン本体１の上部１１が溝７の開口上端面から突出する部分は、カバー板６との接合面によって押圧され、押し潰されながらカバー板６の接合面に密着し、ハウジングＢの密封状態を構成する。パッキン本体１の下部１２の長手方向に直交する断面の幅方向寸法は、ハウジングＢの溝７の幅方向寸法と同等以下とすることが好ましい。これは、パッキン本体１の溝７に対する充填率を低く抑えるためである。
【００３９】
ここで、前記充填率とは、溝７の長手方向に直交する断面に対して、挿入されたパッキンＡの長手方向に直交する断面が実質的に占める割合のことをいう。充填率は、１００％の場合では、パッキン本体１の長手方向に直交する断面が、溝７の長手方向に直交する断面と等しいことを意味する。したがって、充填率が１００％未満では、パッキンＡが挿入された溝７内において、パッキン本体１と溝７との間に隙間が生じるものである。充填率が低いということは、パッキン本体１と溝７との間に生じる空隙が多くなることである。
【００４０】
したがって、充填率を可能な限り低くすることにより、パッキンＡの溝７への挿入が容易にできる。また、パッキンＡの溝７への挿入が完了し、ハウジング本体５にカバー板６が装着されるときに、パッキンＡのパッキン本体１の一部が溝７からはみ出すことがなく、よってハウジング本体５とカバー板６との僅かな隙間部分にパッキン本体１の一部が食い込むことを防止でき、パッキンＡの損傷を防止すると共に、密封性を高く維持することができる。
【００４１】
パッキン本体１の幅方向において内周側に複数の内側倒れ防止部２が形成され、外周側に内側倒れ防止部２の数よりも多数の外側倒れ防止部３が形成されている〔図１（Ａ），（Ｂ）参照〕。内側倒れ防止部２及び外側倒れ防止部３は、パッキンＡが溝７に挿入され、ハウジング本体５にカバー板６を装着するときに、パッキン本体１の上部１１が、適正に押圧されないで、内側又は外側に傾いて押圧されてしまうことを防止する役目をなすものである。複数の外側倒れ防止部３は、パッキン本体１の長手方向に沿って適宜の間隔をおいて形成されている。
【００４２】
多数の外側倒れ防止部３は、パッキンＡにおけるパッキン本体１の幅方向の外周側に適宜の間隔をおいて形成されている。そして、多数の外側倒れ防止部３において、該外側倒れ防止部３が所定数連続する範囲内において、前記パッキン本体１の内周側には１個の内側倒れ防止部２が形成され、これら１個の内側倒れ防止部２と、複数の外側倒れ防止部３とが組Ａ1として構成される。
【００４３】
換言すると、組Ａ1は、１個の内側倒れ防止部２と、所定数の複数の外側倒れ防止部３とからなる集合体である。外側倒れ防止部３の所定数連続する場合の所定数とは、２個以上である。さらに、組Ａ1では、複数の前記外側倒れ防止部３は何れも、パッキン本体１の長手方向に沿って、１個の内側倒れ防止部２とは同一の位置とはならないように構成される。
【００４４】
ただし、内側倒れ防止部２と外側倒れ防止部３とが長手方向に近接する状態でも組Ａ1の構成に含まれる。つまり組Ａ１において、内側倒れ防止部２の長手方向における位置とはずれた位置に外側倒れ防止部３が配置される。該組Ａ1は、パッキン本体１の長手方向に沿って複数の組が設けられる〔図１（Ａ），（Ｂ），図２（Ａ），図３（Ａ）参照〕。
【００４５】
以下、組Ａ1は、１個の内側倒れ防止部２と、２個の外側倒れ防止部３，３とした構成にて説明する。したがって、組Ａ１における内側倒れ防止部２と外側倒れ防止部３との個数の比率は１対２となる。組Ａ1において、１個の内側倒れ防止部２に対してパッキン本体１の長手方向に沿う両側に所定間隔を有して外側倒れ防止部３がそれぞれ配置される〔図３（Ａ）参照〕。
【００４６】
該組Ａ1は、パッキン本体１の長手方向に沿って所定間隔をおいて複数設けられている〔図１（Ａ），（Ｂ），図２（Ａ），図３（Ａ）参照〕。そして、パッキン本体1の長手方向に沿って隣接する組Ａ1，Ａ1間には、外れ止め部４，４が設けられる。両外れ止め部４，４は、パッキン本体１の幅方向両側に形成され、且つ両該外れ止め部４，４は、パッキン本体１の長手方向において同等位置に設けられる〔図１（Ａ），（Ｂ），図２（Ａ），図３（Ａ）参照〕。
【００４７】
つまり、パッキン本体１の長手方向に沿って組Ａ1と外れ止め部４，４が交互に配置される状態となる〔図１（Ａ）参照〕。組Ａ1の総数は、パッキン本体１の全長に対応して増減する。両外れ止め部４，４がパッキン本体１の幅方向両側の同等位置に設けられる構成には、両側の外れ止め部４，４の位置が完全に一致せず、外れ止め部４の突起の長手方向の幅程度のずれも同等範囲に含まれる。また、パッキン本体１の幅方向両側の外れ止め部４，４は、隣接する組Ａ1，Ａ1間ではなく、組Ａ1の範囲内に入り込んで設けられることもある。
【００４８】
内側倒れ防止部２は、パッキン本体１の上部１１の内周側に形成され、具体的には上部１１の幅方向の内周側の傾斜面１１ａから幅方向外方に膨出するように形成される〔図１（Ｂ），（Ｄ），図３（Ａ）参照〕。同様に、外側倒れ防止部３は、パッキン本体１の上部１１の外周側に形成され、上部１１の幅方向の外周側の傾斜面１１ａから幅方向外方に膨出するように形成される〔図１（Ｂ），（Ｅ），図３（Ａ）参照〕。
【００４９】
内側倒れ防止部２と外側倒れ防止部３とは、パッキン本体１の長手方向に直交する断面の両側において左右対称で同一形状となっている。内側倒れ防止部２と外側倒れ防止部３は、パッキン本体１の上部１１において、上方から或いは平面的に見て円弧形状に形成される〔図１（Ｃ）乃至（Ｆ）参照〕。
【００５０】
内側倒れ防止部２と外側倒れ防止部３は、上部１１の下端箇所から、上部１１の傾斜面１１ａに沿って、上部１１の頂部よりも少し低い位置のところまで形成されている。内側倒れ防止部２と外側倒れ防止部３のそれぞれの上端は平坦面となっている。また、内側倒れ防止部２と外側倒れ防止部３とは、それぞれの上端の高さ方向の位置は同一であるが、これに限定されることなく異なるものであっても構わない。
【００５１】
また、パッキンＡが溝７に挿入配置された状態で、内側倒れ防止部２と外側倒れ防止部３の上端は、溝７内に収まるように設定される。つまり、パッキンＡが溝７に適正に挿入された状態で、内側倒れ防止部２と外側倒れ防止部３の上端は、溝７の開口上端面よりも低い位置に存在することになる〔図３（Ｃ）参照〕。
【００５２】
また、パッキン本体１の長手方向に直交する断面の幅方向における内側倒れ防止部２と外側倒れ防止部３の上端の幅方向に突出する量は、上部１１下端における突出する量よりも少なく設定されることもある〔図１（Ｄ），（Ｅ）参照〕。つまり、パッキンＡが溝７に挿入された状態で、内側倒れ防止部２と外側倒れ防止部３の下端部分とが溝７の側壁に当接又は近接し、上端部分とは隙間を有する状態となる。
【００５３】
内側倒れ防止部２と外側倒れ防止部３の上方から又は平面的に見た形状が方形状としたタイプも存在する〔図４(Ａ)，（Ｂ）参照〕。ここで、方形状とは長方形，正方形又は台形が含まれる。さらに、内側倒れ防止部２と外側倒れ防止部３の上方から又は平面的に見た形状が三角形状に形成されたタイプも存在する〔図４(Ｃ)，（Ｄ）参照〕。
【００５４】
１つの組Ａ1内において、以上に述べた内側倒れ防止部２と外側倒れ防止部３の形状を異なるものとしても構わない。具体的には、組Ａ1において、内側倒れ防止部２は上方より見て円弧形状とし、外側倒れ防止部３は上方より見て方形状又は三角形状に形成されたものである〔図５（Ａ）参照〕。或いは、組Ａ1内において、内側倒れ防止部２は上方より見て方形状又は三角形状とし、前記外側倒れ防止部３は上方より見て円弧形状に形成されることもある〔図５（Ｂ）参照〕。
【００５５】
また、組Ａ1内において、内側倒れ防止部２と、該内側倒れ防止部２の長手方向両側に位置する外側倒れ防止部３，３とのそれぞれの間隔Ｌは、同一としたものである〔図３(Ａ)参照〕。さらに、組Ａ1において、内側倒れ防止部２と、該内側倒れ防止部２の長手方向両側に位置する一方の外側倒れ防止部３までの間隔Ｌ1と、他方の外側倒れ防止部３までの間隔Ｌ2を異ならせることもある〔図５(Ｃ)参照〕。
【００５６】
外れ止め部４は、パッキン本体１の下部１２に形成される〔図１（Ｆ），図２等参照〕。外れ止め部４は、下部１２の長手方向に直交する断面の幅方向において、長手方向の同一箇所に形成される。外れ止め部４は、下部１２の幅方向に略円弧状に膨出する形状に形成される。外れ止め部４は、パッキンＡが溝７に挿入されるときに、両外れ止め部４，４が溝７の幅方向の両側壁によって押圧されて潰される部位であり、溝７に一旦挿入されたパッキンＡが、組付け作業又は輸送過程で溝７から脱落することを防止する役目をなす〔図３（Ａ）参照〕。
【００５７】
各組Ａ1において、１個の内側倒れ防止部２と、２個の外側倒れ防止部３，３は、その位置関係が三角形を構成する〔図３(Ａ)の点線を参照〕。この内側倒れ防止部２と外側倒れ防止部３との三角形の位置関係により、組Ａ1内における内側倒れ防止部２と外側倒れ防止部３とは、パッキンＡの上部１１の外周側への倒れを確実に防止することができる。
【００５８】
エンジン，ポンプ，ミッション等の水，オイル等が充填される密封性を必要とする機器のハウジングＢでは、該ハウジングＢ内の流体がハウジング本体５とカバー板６との合わさる面の僅かな隙間から、溝７に流入し、該溝７に挿入されたパッキンＡに圧力Ｐがかかる。そこで、組Ａ1における１個の内側倒れ防止部２と、２個の外側倒れ防止部３，３とが、その位置関係において三角形を構成することとなる。
【００５９】
これによって、ハウジングＢの内方側から外方側に向かってかかる圧力Ｐを、パッキンＡの長手方向に沿って設けられた各組Ａ1組の２個の外側倒れ防止部３，３に反力Ｆが作用してパッキンＡの上部１１の倒れを防止して、良好な密封性を維持できる〔図７（Ｄ）参照〕。逆にハウジングＢの内方側が吸入負圧や低温による負圧となる事が、大気圧より高くなる頻度よりは低い頻度ではあるが起こりうる。そのため外側倒れ防止部３，３よりは少ない個数の内側倒れ防止部２にて上部１１の倒れを防止する。
【００６０】
また、パッキンＡにおいて、１個の内側倒れ防止部２と、２個の外側倒れ防止部３，３とを１つの組Ａ1としてまとめたことにより、パッキンＡ全体の内側倒れ防止部２と外側倒れ防止部３との個数を少なくでき、これによって、パッキンＡを溝７に挿入配置するときでも、パッキンＡの溝７に対する占有面積を少なくすること、つまり充填率を小さくできる。
【００６１】
よって、パッキンＡがハウジングＢ内の流体から受ける圧力の影響を少なくし、且つ１個の内側倒れ防止部２と、２個の外側倒れ防止部３による組Ａ1がパッキンＡの上部１１の倒れを防止することができる。さらに全体的に内側倒れ防止部２と外側倒れ防止部３との個数を少なくすることで、パッキンＡの溝７への挿入作業を容易にすることができる。
【００６２】
ここで、ハウジングＢの内方側の圧力が高くなる領域（吐出ポート近傍）では上部１１がより外側に倒れ易くなるため組Ａ1内において、外側倒れ防止部３の個数を３以上とすれば上部１１の外側への倒れを防止できる。図６は、パッキンＡの組Ａ1において、外側倒れ防止部３の個数を３とした実施形態である。
【００６３】
次に、ポンプ等の機器で、そのハウジングＢ内で水又はオイル等の流体が収容される室内において吸入及び吐出が行われる部分で、圧力が正負のいずれにおいても、高い箇所と低い箇所とが存在する。ここで、正の圧力とは大気圧より高く、ハウジングＢの内部の流体による内方から外方に向かう圧力のことをいう。
【００６４】
また、負の圧力とは大気圧より低く、ハウジングＢの外方から内方に向かう圧力のことをいう。負の圧力がかかる原因としては寒冷地等で流体が冷えることで収縮し体積が減少する過程で生じるものである。また、ポンプでは吐出ポート付近でハウジングＢの内方から外方に向かう圧力がかかることもある。
【００６５】
ハウジングＢ内において、流体の圧力の正負の度合い又は程度が他の領域と比較して相対的に大きい圧力の箇所が存在する。つまり、流体の圧力が正負いずれにおいても、最も大きい箇所が存在する。そして、この相対的に大きい圧力の箇所によって、該ハウジングＢに装着される本発明のパッキンＡについても、その長手方向に沿ってかかる圧力が大きい領域と、小さい領域とが存在する。そのため、パッキンＡにおいても、圧力が特に大きくかかる領域と、通常の圧力がかかる領域に応じて、それぞれの領域に含まれる組Ａ1の構成を変化させることができる。この構成には、以下の実施形態が存在する。
【００６６】
まず、パッキンＡにおいて、長手方向に沿う他の領域と比較して相対的に大きい正の圧力の高圧受領域内に位置する組Ａ1における外側倒れ防止部３のそれぞれの間隔は他の領域の組Ａ1における外側倒れ防止部３のそれぞれの間隔よりも狭くされる構成としたものである〔図８(Ａ)参照〕。ここで、前述したパッキンＡにおける長手方向に沿う他の領域とは、正負いずれにおいても最も高い圧力が掛かる領域以外の領域と解釈してもよく、大気圧程度の圧力である。
【００６７】
パッキンＡにおける他の領域と比較して相対的に大きい正の圧力の領域の組Ａ1における複数の外側倒れ防止部３の間隔を狭くすることにより、高圧受領域内の組Ａ1自体が長手方向に短くなり、高圧受領域内により多くの数の組Ａ1を設けることができ、高圧に対する抵抗力を強化できる。この実施形態では、高圧受領域における組Ａ1の外側倒れ防止部３の数を３とし、その間隔は、他の領域の組Ａ1における外側倒れ防止部３同士の間隔よりも狭く（小さく）した。この実施形態では、特にハウジングＢの高圧受領域で、外側倒れ防止部３同士の間隔を狭くしたことで、極めて強固にパッキン本体１の上部１１の倒れを防止できる。
【００６８】
次に、パッキンＡの長手方向に沿う高圧受領域内に位置する組Ａ1における内側倒れ防止部２に対する外側倒れ防止部３の個数の割合（比率）は他の領域の組Ａ1における内側倒れ防止部２に対する外側倒れ防止部３の個数の割合（比率）よりも高くする構成としたものである〔図８(Ｂ)参照〕。つまり、高圧受領域の組Ａ1における外側倒れ防止部３の数を他の領域の組Ａ1における外側倒れ防止部３の個数よりも多くした構成である。
【００６９】
この実施形態では、高圧受領域内での各組Ａ1における外側倒れ防止部３の数を４とし、他の領域における組Ａ1の外側倒れ防止部３の数は３とした。この実施形態では、高圧受領域の組Ａ1における外側倒れ防止部３の数が他の領域の組Ａ1における外側倒れ防止部３の数よりも多くなり、ハウジングＢの流体による内方から外方に向かう大きな圧力に対して、多くの外側倒れ防止部３が圧力に抵抗してパッキン本体１の上部１１の倒れを確実に防止できる。
【００７０】
次に、パッキンＡの長手方向に沿う他の領域と比較して相対的に大きい負の低圧受領域内に位置する組Ａ1における内側倒れ防止部２に対する外側倒れ防止部３の個数の割合（比率）は他の領域の組Ａ1における内側倒れ防止部２に対する外側倒れ防止部３の個数の割合（比率）よりも低くしたものである〔図８(Ｂ)，（Ｃ）参照〕。つまり、負の低圧受領域内の組Ａ1における外側倒れ防止部３の数を他の領域の組Ａ1における外側倒れ防止部３の個数よりも少なくした構成である。この実施形態では、負の低圧受領域内での各組Ａ1における外側倒れ防止部３の数を２とし、他の領域における組Ａ1の外側倒れ防止部３の数は３とした。
【００７１】
この実施形態において、特に組Ａ1の外側倒れ防止部３の長手方向における寸法を内側倒れ防止部２の長手方向における寸法より短くすることがある〔図８（Ｃ）参照〕。この実施形態では、外側倒れ防止部３の長手方向の長さを内側倒れ防止部２の長手方向の長さの略半分としたものである。この実施形態では、組Ａ1の長手方向に沿う範囲の長さを小さくすることができ、したがって、負の低圧受領域内における組Ａ1の配列数を実質的に増加でき、負圧によるパッキン本体１の上部１１の内周側への倒れに対して内側倒れ防止部２が有効に働いて防止することができる。
【００７２】
ハウジングＢは、ハウジング本体５とカバー板６とから構成される（図７参照）。本発明において、ハウジングＢは、ポンプ，エンジン，ミッション等の水，オイル等の流体を有する機器に使用されるものである。ハウジング本体５とカバー板６の何れか一方には、パッキンＡが挿入配置される溝７が形成され、パッキンＡと同等形状の環状に形成される〔図７（Ａ）参照〕。
【００７３】
溝７の幅方向長さは、パッキンＡの下部１２の長手方向に直交する断面の幅方向と略同等又は０.数ミリ大きい。また、下部１２において幅方向両側の外れ止め部４，４を含めた幅方向寸法よりも小さく設定される。以上の説明において、溝７はハウジング本体５に形成されるものとしたが、溝７がカバー板６に形成されることもある。また、溝７は、底面部から開口上端面に向かうに従い幅方向寸法が次第に広くなるように両側壁面にテーパを有する逆台形状又は断面略有底Ｖ字形状に形成されている。
【符号の説明】
【００７４】
Ａ…パッキン、Ａ1…組、１…パッキン本体、２…内側倒れ防止部、
３…外側倒れ防止部、４…外れ止め部Ｂ…ハウジング、５…ハウジング本体、
６…カバー板、７…溝。 
【図１】
2018194113.tif 000003
【図２】
2018194113.tif 000004
【図３】
2018194113.tif 000005
【図４】
2018194113.tif 000006
【図５】
2018194113.tif 000007
【図６】
2018194113.tif 000008
【図７】
2018194113.tif 000009
【図８】
2018194113.tif 000010